(57)【要約】      （修正有）【課題】マッサージや経穴刺激を実施することにより、血液循環の促進、内分泌改善、血液動力の調節、睡眠の改善および免疫力増強に役立ち、足マッサージの効果を達成する物理療法機能性靴を提供する。【解決手段】靴底１と、靴甲被２と、靴中敷３とを含み、靴甲被と靴底とが固定接続され、靴底の踵部に経穴溝が設けられ、経穴溝内にチップ６が設置され、靴中敷に磁気エネルギー伝導装置７が設けられ、靴底はさらに複数の独立懸架減衰平衡手段を備える。靴底内にさらに経穴マッサージクッションが設けられ、経穴マッサージクッションが靴中敷の表面に緊密に貼合される。経穴マッサージクッションに磁気エネルギー伝導装置と位置合わせる金属シート９が設けられる。経穴マッサージクッションにエネルギーマグネット１２が設けられる。【選択図】図１
0003225301.tif 000002
【実用新案登録請求の範囲】
【請求項１】
靴底と、靴甲被と、靴中敷とを含み、
靴甲被と靴底とが固定接続されている物理療法機能性靴であって、
前記靴底の踵部に経穴溝が設けられており、
前記経穴溝内にチップが設置されており、
前記靴中敷に磁気エネルギー伝導装置が設けられており、
前記靴底はさらに複数の独立懸架減衰平衡手段を備えている、
ことを特徴とする前記物理療法機能性靴。
【請求項２】
前記独立懸架減衰平衡手段が６つ備えられていることを特徴とする請求項１に記載の物理
療法機能性靴。
【請求項３】
前記独立懸架減衰平衡手段はそれぞれ前記靴底の底部から前記靴踵へ折り曲がった支持部
を含み、
前記支持部は地面に接触する構成としており、
各隣り合う支持部の間に減衰空間が形成されており、
前記減衰空間内に上下に合わせる上減衰ブロックと下減衰ブロックが設けられており、
前記支持部、上減衰ブロックおよび下減衰ブロックが前記靴底に一体のに成形されている
、
ことを特徴とする請求項１または２に記載の物理療法機能性靴。
【請求項４】
前記靴底内にさらに経穴マッサージクッションが設けられており、前記経穴マッサージク
ッションが前記靴中敷の表面に緊密に貼合されていることを特徴とする請求項３に記載の
物理療法機能性靴。
【請求項５】
前記経穴マッサージクッションに前記磁気エネルギー伝導装置と位置合わせる金属シート
が設けられていることを特徴とする請求項４に記載の物理療法機能性靴。
【請求項６】
前記経穴マッサージクッションにエネルギーマグネットが設けられていることを特徴とす
る請求項５に記載の物理療法機能性靴。
【請求項７】
前記エネルギーマグネットが前記経穴マッサージクッションの表面に対し突起されている
ことを特徴とする請求項６に記載の物理療法機能性靴。
【請求項８】
前記エネルギーマグネットは円状または不規則状とされていることを特徴とする請求項７
に記載の物理療法機能性靴。
【請求項９】
前記靴甲被に透気性甲被層が設置されていることを特徴とする請求項７に記載の物理療法
機能性靴。
【考案の詳細な説明】
【技術分野】
【０００１】
本実用新案は靴の分野に関するもので、具体的に物理療法機能性靴に関する。
【従来の技術】
【０００２】
漢方の理論によれば、人体小系統は、外界大系統と接続される必要があり、足裏と地面
のコネクタを可能にしたら、人の健康に寄与できるはずである。従来の靴底が、一般的に
プラスチックやゴム製であり、人の足裏と地のコネクタを隔絶するとなるので、健康に不
利益である。
【０００３】
上記の問題に鑑み、本考案者は、積極的に研究し、革新し、物理療法にもとづく機能性
靴を創造して、産業上の利用価値を具備させることを図っている。
【考案の概要】
【０００４】
本実用新案の目的は、従来技術における上記の問題を克服するための物理療法機能性靴
を提供することにある。
【０００５】
本実用新案は、以下の技術解決策により実現される。
本実用新案にかかる物理療法機能性靴は靴底と、靴甲被と、靴中敷とを含み、靴甲被と靴
底とが固定接続され、前記靴底の踵部に経穴（ａｃｕｐｏｉｎｔ）溝が設けられ、前記経
穴溝内にチップが設置され、前記靴中敷に磁気エネルギー伝導装置が設けられ、前記靴底
はさらに複数の独立懸架減衰平衡手段を備える。
【０００６】
好ましくは、前記独立懸架減衰平衡手段が６つ備えられる。
【０００７】
好ましくは、前記独立懸架減衰平衡手段はそれぞれ前記靴底の底部から前記靴踵へ折り曲
がった支持部を含み、前記支持部は床面に接触する構成とし、各隣り合う支持部の間に減
衰空間が形成され、前記減衰空間内に上下に合わせる上減衰ブロックと下減衰ブロックが
設けられ、前記支持部、上減衰ブロックおよび下減衰ブロックが前記靴底に一体のに成形
される。
【０００８】
好ましくは、前記靴底内にさらに経穴マッサージクッションが設けられ、前記経穴マッサ
ージクッションが前記靴中敷の表面に緊密に貼合される。
【０００９】
好ましくは、前記経穴マッサージクッションに前記磁気エネルギー伝導装置と位置合わせ
る金属シートが設けられる。
【００１０】
好ましくは、前記経穴マッサージクッションにエネルギーマグネットが設けられる。
【００１１】
好ましくは、前記エネルギーマグネットが前記経穴マッサージクッションの表面に対し突
起される。
【００１２】
好ましくは、前記エネルギーマグネットは円状または不規則状とされる。
【００１３】
好ましくは、前記靴甲被に透気性甲被層が設置される。
【００１４】
従来技術に比べて、本実用新案は下記の利点と効果を有する。
１）  本実用新案では、靴底にチップと金属シートを増設する。これにより、有効的に人
体に絶えずに積み重ねた不良な陽電子を放出させることができる。大地との自由電子と中
和することで、人体の電磁音および電極態様をバランスさせ、フリーラジカルの発生を減
少する。
２）  本実用新案では、靴底内にエネルギーマグネットを増設する。エネルギーマグネッ
トは誰にも適宜なものであり、且つかかるすべての経穴が人体への副作用がない。エネル
ギーマグネットによりマッサージや経穴刺激を実施することにより、血液循環の促進、内
分泌改善、血液動力の調節、睡眠の改善および免疫力増強に役立ち、足マッサージの効果
を達成する。
３）  本実用新案は、減衰平衡手段を増設する。これにより、地面と足の衝撃を緩和し、
優れる減衰効果を有する。
【図面の簡単な説明】
【００１５】
以下の図面を参照しながら、非限定的実施例に記載の詳細紹介により、本実用新案の他
の特徴、目的や利点がより明確になるであろう。
【図１】図１は本実用新案の構成模式図である。
【考案を実施するための形態】
【００１６】
以下、本実用新案の実施例および附図を利用して、本実用新案実施例中における技術案を
さらに明確的に、十分的に説明する。明らかには、記載した実施例は、単に本実用新案の
一部実施例であり、すべての実施例とは理解できない。本実用新案の実施例に基づいて、
本分野の当業者によって創造的な労働を費やさず得られる全ての実施例は、本実用新案に
保護を求める範囲に含まれる。
【００１７】
本実施例にかかる物理療法機能性靴は、図１に示されるように、靴底１、靴甲被２および
靴中敷３、を含み、靴甲被２と靴底１が固定接続される。靴甲被２に透気性甲被層４が設
置される。靴底１の踵部に経穴溝５が設けられる。経穴溝５内にチップ６が設置される。
靴中敷３に磁気エネルギー伝導装置７が設けられる。靴底１内にさらに経穴マッサージク
ッション８が設けられる、経穴マッサージクッション８が靴中敷３の表面に緊密に貼合さ
れる。経穴マッサージクッション８に磁気エネルギー伝導装置に位置合わせる金属シート
９が設けられる。靴底１にチップ６と金属シート９を増設する。これにより、有効的に人
体に絶えずに積み重ねた不良な陽電子を放出させることができる。大地との自由電子と中
和することで、人体の電磁音および電極態様をバランスさせ、フリーラジカルの発生を減
少する。
【００１８】
靴底１はさらに６つの独立懸架減衰平衡手段を備える。各独立懸架減衰平衡手段は靴底の
底部から靴踵へ折り曲がった支持部１０を含む。支持部１０が地面に接触されるように設
計される。各隣り合う支持部１０の間に減衰空間１１が形成される。減衰空間１１内に上
下に合わせる上減衰ブロックと下減衰ブロックが設けられる。支持部１０、上減衰ブロッ
クと下減衰ブロックが靴底に一体に成形される。減衰平衡手段を増設することにより、地
面と足の衝撃を緩和し、優れる減衰効果を有する。
【００１９】
経穴マッサージクッション８に円状のエネルギーマグネット１２が設けられる。円状のエ
ネルギーマグネット１２が経穴マッサージクッションの表面に対して突起状とする。もち
ろん、円状のエネルギーマグネット１２は、他の形態により置換されてもよい。靴底１内
にエネルギーマグネット１２を増設する。エネルギーマグネットは誰にも適宜なものであ
り、且つかかるすべての経穴が人体への副作用がない。エネルギーマグネットによりマッ
サージや経穴刺激を実施することにより、血液循環の促進、内分泌改善、血液動力の調節
、睡眠の改善および免疫力増強に役立ち、足マッサージの効果を達成する。
【００２０】
前記述べたものは、本考案の実施形態だけであり、前記の具体的な実施形態は、普通技術
者は本考案の原理と精神の範疇内において、各種の変形及び修正、置換、変形を行うこと
ができる。本実用新案の保護範囲は、実用新案登録請求の範囲及びその均等物である。
【符号の説明】
【００２１】
１  靴底
２  靴甲被
３  靴中敷
４  透気性甲被層
５  経穴溝
６  チップ
７  磁気エネルギー伝導装置
８  経穴マッサージクッション
９  金属シート
１０  支持部
１１  減衰空間
１２  円形エネルギーマグネット
【図１】
0003225301.tif 000003